(57)【要約】【課題】  無線ＬＡＮ端末の機能が追加される携帯情報端末装置等の外部接続装置の大型化を防止することにある。また、携帯情報端末装置等の外部接続装置に接続可能な無線ＬＡＮ端末装置を単体でも使用可能とすることにある。【解決手段】  携帯型情報端末装置等の携帯型の外部接続装置に設けられた外部接続端子に装着可能な携帯型の無線ＬＡＮ端末装置であって、装置本体２と、装置本体２に設けられかつ無線ＬＡＮ回線を介して信号を送受信する送受信手段６〜９と、装置本体２に設けられた蓄電手段又は装置本体２に着脱自在である蓄電手段から各部に電力を供給する電力供給手段１１と、装置本体２に設けられかつ外部接続端子に装着可能な接続端子１３と、装置本体に設けられかつ送受信手段６〜９で受信した信号に基づいて音声を出力する第１音声出力手段１２，１５とを備える無線ＬＡＮ端末装置。【選択図】      図２
2005094318.tif 000002
【特許請求の範囲】
【請求項１】
携帯型情報端末装置等の携帯型の外部接続装置に設けられた外部接続端子に装着可能な携帯型の無線ＬＡＮ端末装置であって、
装置本体と、
無線ＬＡＮ回線を介して信号を送受信する送受信手段と、
前記装置本体に設けられた蓄電手段又は前記装置本体に着脱自在である蓄電手段から各部に電力を供給する電力供給手段と、
前記装置本体に設けられかつ前記外部接続端子に装着可能な接続端子と、
を備える無線ＬＡＮ端末装置。
【請求項２】
前記送受信手段で受信した信号に基づいて音声を出力する第１音声出力手段をさらに備える、請求項１に記載の無線ＬＡＮ端末装置。
【請求項３】
ユーザからの入力を受け付ける第１操作部をさらに備える、請求項１又は２に記載の無線ＬＡＮ端末装置。
【請求項４】
前記外部接続装置は携帯電話機であり、
前記接続端子が前記外部接続端子に装着されたことを検知する検知手段と、
前記検知手段によって前記装着が検知された場合に、前記携帯電話機を制御して着信転送の設定を行う着信転送設定手段と、
前記着信転送設定の後、前記携帯電話機による電波の送受信を停止させる停止手段と、
をさらに備える請求項１から３のいずれかに記載の無線ＬＡＮ端末装置。
【請求項５】
前記装置本体に設けられ、前記送受信手段との間で音声パケットを受け渡しかつ前記接続端子を介して音声信号の受け渡しを行う音声パケット処理部をさらに備える、請求項１から３のいずれかに記載の無線ＬＡＮ端末装置。
【請求項６】
前記外部接続装置は携帯電話機であり、
前記接続端子が前記外部接続端子に装着されたことを検知する検知手段と、
前記検知手段によって前記装着が検知された場合に、前記携帯電話機による電波の送受信を停止させる停止手段と、
をさらに備える請求項５に記載の無線ＬＡＮ端末装置。
【請求項７】
前記送受信手段で受信した信号に基づいて各種情報を表示する表示手段をさらに備える、請求項１から６のいずれかに記載の無線ＬＡＮ端末装置。
【請求項８】
装置本体と、前記装置本体に設けられかつ無線ＬＡＮ回線を介して信号を送受信する送受信手段と、前記装置本体に設けられた蓄電手段又は前記装置本体に着脱自在である蓄電手段から各部に電力を供給する電力供給手段と、前記装置本体に設けられた接続端子とを有する携帯型の無線ＬＡＮ端末装置と、
前記接続端子に装着可能な外部接続端子と、ユーザから情報の入力を受け付けまたはユーザに情報を出力するためのインターフェース部とを有する携帯型の外部接続装置と、
を備える携帯情報端末システム。
【請求項９】
前記無線ＬＡＮ端末装置は、前記送受信手段で受信した信号に基づいて音声を出力する第１音声出力手段をさらに有する、請求項８に記載の携帯情報端末システム。
【請求項１０】
前記無線ＬＡＮ端末装置は、ユーザからの入力を受け付ける第１操作部をさらに有する、請求項９に記載の携帯情報端末システム。
【請求項１１】
前記インターフェース部は、前記外部接続端子から受信する信号に基づいて各種情報を表示する第２表示手段を有する、請求項８から１０のいずれかに記載の携帯情報端末システム。
【請求項１２】
前記インターフェース部は、前記外部接続端子から受信する音声信号に基づいて音声を出力する第２音声出力手段をさらに有する、請求項１１に記載の携帯情報端末システム。
【請求項１３】
前記インターフェース部は、ユーザからの入力を受け付ける第２操作部をさらに有する、請求項１１又は１２に記載の携帯情報端末システム。
【請求項１４】
前記無線ＬＡＮ端末装置は、前記送受信手段との間で音声パケットを受け渡しかつ前記接続端子を介して音声信号の受け渡しを行う音声パケット処理部をさらに有し、
前記インターフェース部は、前記外部接続端子から受信する音声信号に基づいて音声を出力する第２音声出力手段と、音声入力を受け付けて音声信号に変換する音声入力手段と有する、請求項８に記載の携帯情報端末システム。
【請求項１５】
前記外部接続装置は携帯電話機である、請求項８から１４のいずれかに記載の携帯情報端末システム。
【請求項１６】
装置本体と、無線ＬＡＮ回線を介して信号を送受信する送受信手段と、前記装置本体に設けられた蓄電手段又は前記装置本体に着脱自在である蓄電手段から各部に電力を供給する電力供給手段と、前記装置本体に設けられた接続端子とを有する携帯型の無線ＬＡＮ端末装置に装着される携帯電話機であって、
前記接続端子に装着可能な外部接続端子と、
前記外部接続端子から受信する信号に基づく情報を表示する第２表示手段と、
前記第２表示手段への情報の表示を制御する表示制御手段と、
を備える携帯電話機。
【請求項１７】
前記無線ＬＡＮ端末装置は、前記送受信手段で受信した信号に基づいて音声を出力する第１音声出力手段をさらに有する、請求項１６に記載の携帯電話機。
【請求項１８】
前記無線ＬＡＮ端末装置は、ユーザからの入力を受け付ける第１操作部をさらに備える、請求項１７に記載の携帯電話機。
【請求項１９】
前記無線ＬＡＮ端末装置は、前記送受信手段との間で音声パケットを受け渡しかつ前記接続端子を介して音声信号の受け渡しを行う音声パケット処理部をさらに有し、
前記外部接続端子から受信する音声信号に基づいて音声を出力する第２音声出力手段と、音声入力を受け付けて音声信号に変換する音声入力手段と、をさらに備える請求項１６から１８のいずれかに記載の携帯電話機。
【請求項２０】
音声出力要求信号に基づいて音声を出力する携帯型の第１及び第２無線ＬＡＮ端末装置と、前記第１及び第２無線ＬＡＮ端末装置と無線ＬＡＮ回線を含むネットワークを介して通信する管理装置とによる無線ＬＡＮ通信方法であって、
前記管理装置が、前記第１及び第２無線ＬＡＮ端末装置をグループ化して登録するステップと、
前記管理装置が、前記第１無線ＬＡＮ端末装置から前記ネットワークを介して前記音声出力要求信号を受信するステップと、
前記管理装置が、前記第１無線ＬＡＮ端末装置と同一グループに属する前記第２無線ＬＡＮ端末装置を抽出するステップと、
前記管理装置が、前記抽出された第２無線ＬＡＮ端末装置に前記ネットワークを介して前記音声出力要求信号を送信するステップと、
を含む無線ＬＡＮ通信方法。
【請求項２１】
前記第２無線ＬＡＮ端末装置には、前記第２無線ＬＡＮ端末装置が受信する情報を表示する外部接続装置が接続されており、
前記管理装置が、前記第１無線ＬＡＮ端末装置の位置を示す情報を作成するステップと、
前記管理装置が、前記第２無線ＬＡＮ端末装置に前記ネットワークを介して前記情報を送信するステップと、をさらに含む請求項２０に記載の無線ＬＡＮ通信方法。
【請求項２２】
前記外部接続装置は携帯電話機である、請求項２１に記載の無線ＬＡＮ通信方法。
【請求項２３】
音声出力要求信号に基づいて音声を出力する携帯型の第１及び第２無線ＬＡＮ端末装置と、前記第１及び第２無線ＬＡＮ端末装置と無線ＬＡＮ回線を含むネットワークを介して通信する管理装置とによる無線ＬＡＮ通信方法であって、
前記管理装置が、前記第１及び第２無線ＬＡＮ端末装置をグループ化して登録するステップと、
前記管理装置が、前記第１無線ＬＡＮ端末装置の移動範囲を設定するステップと、
前記管理装置が、前記第１無線ＬＡＮ端末装置が前記移動範囲内か否かを判定するステップと、
前記管理装置が、前記第１無線ＬＡＮ端末装置が前記移動範囲内にないと判定する場合に、前記第１無線ＬＡＮ端末装置と同一グループに属する前記第２無線ＬＡＮ端末装置に、前記ネットワークを介して前記音声出力要求信号を送信するステップと、
を含む無線ＬＡＮ通信方法。
【請求項２４】
前記移動範囲は、前記第１無線ＬＡＮ端末装置と前記第２無線ＬＡＮ端末装置の相対的な位置関係によって規定される、請求項２３に記載の無線ＬＡＮ通信方法。
【請求項２５】
音声出力要求信号に基づいて音声を出力する携帯型の無線ＬＡＮ端末装置と、前記無線ＬＡＮ端末装置と無線ＬＡＮ回線を含むネットワークを介して通信する管理装置とによる無線ＬＡＮ通信方法であって、
前記管理装置が、前記無線ＬＡＮ端末装置への前記音声出力要求信号の送信要求を受け付けるステップと、
前記管理装置が、前記送信要求に基づいて、前記無線ＬＡＮ端末装置に前記音声出力信号を送信するステップと、
を含む無線ＬＡＮ通信方法。
【請求項２６】
無線ＬＡＮ回線及び携帯電話回線を介して通信可能な携帯情報端末システムと、無線ＬＡＮ回線を介して前記携帯情報端末システムと通信する第１提供装置と、携帯電話回線を介して前記携帯情報端末システムと通信する第２提供装置とによるサービス提供方法であって、
前記携帯情報端末システムが、前記第１提供装置から無線ＬＡＮ回線を介してサービス情報を受信し、前記サービス情報をユーザに提示するステップと、
前記携帯情報端末システムが、前記ユーザから前記サービス情報に基づくサービスの選択を受け付けるステップと、
前記サービスの申込に必要な送信情報を送信する場合に、前記携帯情報端末システムが、携帯電話回線を介して前記第２提供装置に接続し、携帯電話回線を介して前記送信情報を送信するステップと、を含むサービス提供方法。
【請求項２７】
前記サービス情報は、商品またはサービスの販売に関する情報であり、前記送信情報は商品またはサービスの購入代金の決済に必要な情報である、請求項２６に記載のサービス提供方法。
【請求項２８】
前記サービス情報は、商品またはサービスの予約に関する情報であり、前記送信情報は前記予約に必要な情報である、請求項２６に記載のサービス提供方法。
【請求項２９】
携帯電話機に装着可能な無線ＬＡＮ端末装置と、無線ＬＡＮ回線を介して前記無線ＬＡＮ端末装置と通信する管理装置と、携帯電話回線を介して前記携帯電話機と通信する着信転送装置とによる携帯電話の着信転送方法であって、
前記無線ＬＡＮ端末装置が、前記携帯電話機に装着されことを検知するステップと、
前記装着が検知された場合に、前記無線ＬＡＮ端末装置が、前記携帯電話機を前記着信転送装置に接続させ、前記携帯電話機への着信情報を前記管理装置に転送するように設定させるステップと、
前記管理装置が、前記着信転送装置から前記着信情報を受信するステップと、
前記管理装置が、前記着信情報を、前記無線ＬＡＮ回線を介して前記無線ＬＡＮ端末装置に送信するステップと、
を含む携帯電話の着信転送方法。
【請求項３０】
前記着信転送設定の終了後、前記無線ＬＡＮ端末装置が、前記携帯電話機による電波の送受信を停止させるステップをさらに含む、請求項２９に記載の携帯電話の着信転送方法。
【発明の詳細な説明】
【技術分野】
【０００１】
本発明は、携帯型情報端末装置等の携帯型の外部接続装置に設けられた外部接続端子に装着可能な携帯型の無線ＬＡＮ端末装置、携帯型の無線ＬＡＮ端末装置及び外部接続装置から構成される携帯情報端末システム及び無線ＬＡＮ端末装置に装着される携帯電話機に関する。
【０００２】
また、本発明は、携帯型の無線ＬＡＮ端末装置を用いた無線通信方法、携帯型情報端末システムを用いたサービス提供方法、及び、携帯型の無線ＬＡＮ端末装置を用いた着信転送方法に関する。
【背景技術】
【０００３】
無線ＬＡＮ通信システムは、市販のパーソナルコンピュータや無線基地局などを購入することで、誰でも極めて簡単に構築することができ、ユーザに低額のサービスを提供することができる。また、無線ＬＡＮ通信は、データの伝送速度が大きく、大量のデータの送受信に適している。このような無線ＬＡＮ通信システムの従来の構成例が、例えば、特許文献１乃至５に記載されている。
【０００４】
特許文献１には、携帯電話機に無線ＬＡＮ端末の機能を内蔵し、または、携帯電話機に無線ＬＡＮ端末の機能を有するＰＣカードを携帯電話機に装着し、携帯電話機によって無線ＬＡＮ回線及び携帯電話回線と通信するシステムが記載されている。
【０００５】
特許文献２には、移動体端末としてのＰＨＳ親局に無線ＬＡＮ端末の機能を内蔵し、ＰＨＳ親局にＰＨＳ回線によって接続されている子機またはＰＨＳ親局自体が無線ＬＡＮ回線を介してＩＰ電話通信を行うシステムが記載されている。
【０００６】
特許文献３には、携帯型ゲーム端末装置に無線ＬＡＮ端末の機能を内蔵し、携帯型ゲーム端末装置間で無線ＬＡＮ回線を介して通信することにより、対戦ゲームを実行するシステムが記載されている。
【０００７】
特許文献４には、デスクトップ型又はノート型のパーソナルコンピュータ（ＰＣ）に無線ＬＡＮ端末装置をケーブルによって接続し、ＰＣと無線基地局とが無線ＬＡＮ回線を介して通信する場合には、無線ＬＡＮ通信電波の許容周波数帯を複数のチャンネルに分割し、空いているチャンネルを選択して通信するように構成したシステムが記載されている。
【０００８】
特許文献５には、パーソナルコンピュータ（ＰＣ）にゲーブルを介して接続された無線ＬＡＮ端末装置に無線基地局からの信号の強度を測定する機能を持たせ、強度が設定強度以下になった場合に、無線ＬＡＮ端末装置がＭＡＣアドレスを含む特定のパケットを無線基地局に送出し、無線基地局が無線ＬＡＮ端末装置の盗難を検知するシステムが記載されている。
【０００９】
特許文献６には、無線ＬＡＮ端末装置が自己の移動の履歴を検出して無線基地局に送信し、無線基地局に接続された管理装置が無線ＬＡＮ端末装置の移動履歴を管理するシステムが記載されている。
【特許文献１】特開２００３−１１０７５１号公報（第３−４頁、第１図）
【特許文献２】特開２００３−２３６７４号公報（第３−８頁、第１図）
【特許文献３】特開平１０−１５１２７４号公報（第２−４頁、第１図）
【特許文献４】特開平１０−２７１１２０号公報（第３−５頁、第１−２図）
【特許文献５】特開２００２−２６１７７３号公報（第２−３頁、第１図）
【特許文献６】特開２０００−２２４６４５号公報（第３−９頁、第１図）
【発明の開示】
【発明が解決しようとする課題】
【００１０】
特許文献１乃至３では、無線ＬＡＮ端末の機能を携帯電話機または移動体端末装置（ＰＨＳ親局）に内蔵させているが、このような構成では携帯電話機等の消費電力が大きくなりバッテリの使用可能時間が短くなる。一方、バッテリの使用可能時間を向上させるには、バッテリを大型化する必要があり、携帯電話機等が大型化する虞がある。また、携帯電話回線等の電波と無線ＬＡＮ回線の電波との干渉を防止するためのシールドが必要であり、これによっても携帯電話機等の構成が大型化する虞がある。
【００１１】
また、ＰＣカード型の無線ＬＡＮ端末装置を携帯電話等に接続して使用する場合にも、携帯電話機等からＰＣカードに電力を供給するため、携帯電話機等の消費電力が大きくなり、上記同様の問題がある。また、携帯電話機等にＰＣカードを装着するには専用のスロットを設ける必要があり、携帯電話機等の構成が大型化する虞がある。
【００１２】
特許文献４又は５に記載されている無線ＬＡＮ端末装置は、無線ＬＡＮ端末装置自体にユーザインターフェースを備えておらず、パーソナルコンピュータ等に接続して使用する必要があり、無線ＬＡＮ端末装置を単体で使用することができない。また、特許文献６に記載には移動局の構成が記載されておらず、無線ＬＡＮ端末の機能をどのような形態で実現するかについて具体的に記載されていない。
【００１３】
本発明の目的は、無線ＬＡＮ端末の機能が追加される携帯情報端末装置等の外部接続装置の大型化を防止することにある。
【００１４】
また、本発明の目的は、携帯情報端末装置等の外部接続装置に接続可能な無線ＬＡＮ端末装置を単体でも使用可能とすることにある。
【課題を解決するための手段】
【００１５】
本発明に係る無線ＬＡＮ端末装置は、携帯型情報端末装置等の携帯型の外部接続装置に設けられた外部接続端子に装着可能な携帯型の無線ＬＡＮ端末装置であって、装置本体と、送受信手段と、電力供給手段と、接続端子とを備えている。送受信手段は、無線ＬＡＮ回線を介して信号を送受信する。電力供給手段は、装置本体に設けられた蓄電手段又は装置本体に着脱自在である蓄電手段から各部に電力を供給する。接続端子は、装置本体に設けられかつ外部接続端子に装着可能である。
【００１６】
また本発明に係る無線ＬＡＮ端末装置は、上記構成に加えて、送受信手段で受信した信号に基づいて音声を出力する第１音声出力手段をさらに備えている。
【発明の効果】
【００１７】
本発明に係る無線ＬＡＮ端末装置では、蓄電手段を装置本体に内蔵等によって設け、または、着脱自在な蓄電手段を装着して使用するので、無線ＬＡＮ端末装置に接続される外部接続装置から電力の供給を受ける必要がない。これにより、外部接続装置において消費電力増大を防止できるのでバッテリを大型化する必要もなくなり、外部接続装置の大型化を防止できる。
【００１８】
また、第１音声出力手段を備えた場合には、外部接続装置から電力の供給を受ける必要がないことに加えて、無線ＬＡＮ回線を介して受信した信号に基づいて音声を出力できるので、無線ＬＡＮ端末装置を単体で所持するユーザの呼び出し等に使用できるようになり、無線ＬＡＮ端末装置の単体での使用が可能になる。
【発明を実施するための最良の形態】
【００１９】
（１）第１実施形態
（１−１）無線ＬＡＮ端末装置
図１は、無線ＬＡＮ端末装置１の外形図であり、図２は、無線ＬＡＮ端末装置１の機能ブロック図である。
【００２０】
無線ＬＡＮ端末装置１（以下、端末装置という）は、携帯電話機、ＰＤＡ等の携帯情報端末に接続可能な携帯型の無線ＬＡＮ端末装置であり、装置本体２の前面に設けられた操作ボタン３、ＬＣＤパネル４、スピーカ５及び接続端子１３を有している。操作ボタン３、ＬＣＤパネル４及びスピーカ５の配置はこれに限らず、装置本体２の適当な位置に設けて良い。操作ボタン３は、ユーザからの入力を受け付ける。ＬＣＤパネル４は、無線ＬＡＮ回線から受信した信号に基づいて各種情報を表示する表示手段である。また、ＬＣＤパネル４は、バッテリ残量等の端末装置１自体の情報を表示しても良いし、接続端子１３から受信した信号に基づいて各種情報を表示してもよい。なお、表示手段は、ＬＣＤパネル４に限らず、他の表示手段でも良い。スピーカ５は、音声信号を音声に変換して出力する。接続端子１３は、携帯電話機等の外部接続装置に設けられた外部接続端子に直接装着可能な端子である。
【００２１】
また、端末装置１は、ＭＡＣ処理部６、ベースバンド部７、ＲＦ部８、アンテナ９、音源ＬＳＩ１２を備えている。ＭＡＣ処理部６は、通信相手のアクセス制御に関する処理を行う。ベースバンド部７は、ＲＦ部９の制御のほか、リンク制御、パケット制御、論理チャンネル制御、セキュリティ制御等の制御を行う。ＲＦ部８は、アンテナ９を通じて２．４ＧＨｚ帯の無線電波（ＩＥＥＥ  ８０２．１１ｂもしくはＩＥＥＥ  ８０２．１１ｇに準拠）または５ＧＨｚ帯の無線電波（ＩＥＥＥ  ８０２．１１ａに準拠）を送受信する。音源ＬＳＩ１２は、ＭＰＵ１０からの信号に基づいて音声信号を生成し、スピーカ５に出力する。ＭＰＵ１０は、操作ボタン３からの入力を受け付けるとともに、ＭＡＣ処理部６、ベースバンド部７、ＬＣＤパネル４及び音源ＬＳＩ１２を制御し、接続端子１３を介して信号を送受信する。
【００２２】
電力供給手段１１は、装置本体２に内蔵等によって設けられたバッテリ又は装置本体２に着脱自在に装着されるバッテリから各部に電力を供給する。
（１−２）システム
図３は、無線ＬＡＮ端末装置１間で呼び出しを行う無線ＬＡＮ通信方法を実現するシステムの概略構成図である。このシステムは、例えば同図に示すようなショッピングモールに配置される。このショッピングモールは１階、２階からなり、各ゾーンｚａ〜ｚｄは、無線基地局５１ａ〜５１ｄの通信範囲である。
【００２３】
ＬＡＮ管理サーバ５０は、複数の無線基地局５１ａ〜５１ｄに有線または無線のＬＡＮ回線で接続されており、無線基地局５１ａ〜５１ｄを制御する。無線基地局５１ａ〜５１ｄは、各ゾーンｚａ〜ｚｄに配置されており、各ゾーンｚａ〜ｚｄにある端末装置１と無線ＬＡＮ通信を行う。なお、端末装置１をショッピングモール等で貸与する場合には、無断でＩＰアドレスを書き換えることができないようにパスワード等のセキュリティで管理し、外部に持ち出しても使用できない構成にしておくことが好ましい。
【００２４】
端末装置１ａ〜１ｄにはそれぞれＩＰアドレスＩＰ１ａ〜１ｆが割り当てられており、無線基地局５１ａ〜５１ｄにはそれぞれＩＰアドレスＩＰ５１ａ〜ＩＰ５１ｄが割り当てられている。これらの端末装置１ａ〜１ｆは、グルーピングされて管理サーバ５０に登録されており、ショッピングモールを訪れたユーザに貸し出される。ここでは、ショッピングモールを訪れた母親、父親、子供１、子供２からなるグループに、端末装置１ａ〜１ｄをグループＡに登録して貸し出し、母親、父親、子供１、子供２がそれぞれ端末装置１ａ〜１ｄを所持する場合を例に挙げて説明する。端末装置１ａ〜１ｆの貸し出しは、ショッピングセンターのサービスカウンター等で行い、担当者が端末装置１をグルーピングして管理サーバ５０に登録して貸し出す。なお、予め端末装置１を１個ずつ、２個ずつのように予めグルーピングして管理サーバ５０に登録しておいても良いし、グルーピングの登録はどのような方法でも良い。
【００２５】
図４は、管理サーバ５０に登録されるデータの構成例である。管理サーバ５０には、グルーピングリスト、位置情報及び端末情報が登録されている（同図（ａ））。グルーピングリストは、同図（ｂ）に示すように、端末装置１ａ〜１ｆのＩＰアドレスとグループ名とが対応づけて登録されたものである。グルーピングリストは、上述したように端末装置１をユーザに貸し出すごとに登録しても良いし、予め登録しておいても良い。位置情報は、同図（ｃ）に示すように、無線基地局５１のＩＰアドレスとゾーン名とを対応づけて登録したものである。位置情報は、無線基地局５１を設置した際に登録しておく。端末情報は、同図（ｄ）に示すように、端末装置１のＩＰアドレスと端末名とを対応させて登録したものであり、例えば、端末装置１をシステムに導入する際に登録する。端末装置名は、各端末装置１を特定する文字、記号等である。端末装置名は、例えば、システムの管理者が割り当てる文字、記号等でも良いし、装置本体２に表示されるシリアル番号でも良い。端末装置名は、装置本体２の前面等に表示し、ユーザが容易に認識できるようにする。
【００２６】
以下、このシステムの動作を説明する。図３に示すように、母親、父親、子供１がゾーンｚａに居る場合に、子供２がゾーンｚｂに移動したとする。このとき、子供２が、家族からはぐれて助けを求めるため等の理由で、端末装置１ｄの操作ボタン３を押すと、端末装置１ｄから音声出力要求信号が発信される。端末装置１ｄから発信された音声出力要求信号は、ゾーンｚｂの無線基地局５１ｂを介して管理サーバ５０に送信される。
【００２７】
管理サーバ５０は、グルーピングリストを参照して、端末装置１ｄのＩＰアドレスＩＰ１ｄが所属するグループ名（グループＡ）を検索し、同じグループＡに所属するＩＰアドレスＩＰ１ａ〜１ｃを抽出する。また、管理サーバ５０は、位置情報を参照し、無線基地局５１ｂのＩＰアドレスＩＰ５１ｂから、無線基地局５１ｂが設置されたゾーン（ゾーンｚｂ）を検索する。また、管理サーバ５０は、端末情報を参照し、ＩＰアドレスがＩＰ１ｄである端末装置名（端末名１ｄ）を検索する。
【００２８】
その後、管理サーバ５０は、端末装置１ｄの所属するグループＡの他の端末装置１ａ〜１ｃ（ＩＰ１ａ〜ＩＰ１ｃ）に向けて、音声出力要求信号と、位置情報（ゾーンｚｃ）と、端末装置名（端末名１ｄ）とを送信する。
【００２９】
管理サーバ５０から送信された音声出力要求信号、位置情報（ゾーンｚｂ）及び端末装置名（端末名１ｄ）を、端末装置１ａ〜１ｃが無線基地局５１ａを介して受信すると、音源ＬＳＩ１２が音声出力要求信号に基づいてアラーム音またはメロディ（音楽）の音声信号を作成し、スピーカ５に出力する。また、端末装置１ａ〜１ｃでは、図５に示すように、端末装置名（端末装置１ｄ）、位置情報（ゾーンｚｂ）を呼び出しがあった旨とともにＬＣＤパネル４に表示する。
【００３０】
端末装置１ａ〜１ｃを所持している母親、父親、子供１は、スピーカ５から出力されるアラーム音等によって、家族のだれかから呼び出しがあったことを知ることができる。また、ＬＣＤパネル４に表示された情報を見て、「ゾーンｚｂにいる子供２からの呼び出し」であることを認識できる。
【００３１】
また、端末装置１ｃを所持する子供１がゾーンｚａで母親及び父親からはぐれた場合に、端末装置１ｃの操作ボタン３を押した場合も同様に他の端末装置１ａ，１ｂ及び１ｄを所持するユーザを呼び出すことができる。また、逆に、保護者である母親及び父親が子供１又は２が所持する端末装置１ｃ又は１ｄを呼び出すこともできる。即ち、端末装置１の操作ボタン３を押すと、同一グループに所属する他の端末装置からアラーム音等を発生さえることができる。
【００３２】
なお、上記では、管理サーバ５０を介して他の端末装置１を呼び出す場合を説明したが、端末装置１同士が直接通信可能である場合には、無線ＬＡＮ回線を介して直接通信して呼び出しても良い。また、上記端末装置１において、ＬＣＤパネル４を省略しても良い。ＬＣＤパネル４を省略した場合でも、音源ＬＳＩ１２及びスピーカ５からアラーム音等を発生させることにより、呼び出しを行うことができる。
【００３３】
上記システムによれば、家族連れ等で訪れたユーザの一人又は二人が他の家族を呼び出したい場合に、端末装置１の操作ボタン３を押すことにより、他の家族を呼び出すことができる。また、操作ボタン３を押すという極めて単純な操作で呼び出しを行うことができるので、年齢の低い子供が迷子になった場合にも簡単に操作することができる。
（１−３）作用効果
上記端末装置１では、ユーザインターフェースとしての音声出力手段（音源ＬＳＩ１２及びスピーカ５）を装置本体２に設け、かつ、各部に電力を供給する電力供給手段１１を装置本体２に設けたので、ユーザインターフェースを得るためにＰＤＡやＰＣ等の外部端末装置に接続しなくても、単体で使用して呼び出しを行うことができる。
【００３４】
また、端末装置１にＬＣＤパネル４を備えたので、発信側の端末装置１の端末装置名、位置情報を、受信側の端末装置１のＬＣＤパネル４に表示することができる。これにより、受信側の端末装置１を所持するユーザは、誰がどこから呼び出しているかを知ることができる。また、ＬＣＤパネル４に大面積のものを使用し、発信側の端末装置１の位置を示す地図を表示させるようにしても良い。
【００３５】
上記端末装置１を用いて構成したシステムでは、管理サーバ５０、無線基地局５１、端末装置１単体を用意するのみで、無線ＬＡＮ回線による呼び出しシステムを実現できる。このようなシステムは、簡易かつ低コストに実現することができるので、ユーザに低額の利用料金または無料で提供することができる。
【００３６】
（２）第２実施形態
図６及び図７は、第２実施形態に係る無線ＬＡＮ通信方法を実現するシステムの概略構成図である。
【００３７】
本実施形態では、端末装置１ａ及び１ｂを同一グループにグルーピングすると共に、端末装置１ｂの移動範囲を設定し、端末装置１ｂが移動範囲内になくなったときに端末装置１ａを呼び出す。
【００３８】
図６に示すシステムでは、端末装置１ｂの移動範囲をゾーンｚｂに設定する。即ち、端末装置１ｂの移動範囲は無線基地局５１ｂの通信範囲とする。ここでは、端末装置１ａを保護者としての母親が所持し、端末装置１ｂを子供が所持する場合を例に挙げて説明する。
【００３９】
管理サーバ５０は、端末装置１ｂの移動範囲をゾーンｚｂ（無線基地局５１ｂと通信可能な範囲）に設定して登録し、端末装置１ｂが移動範囲内にあるか否かを判別する。具体的には、端末装置１ｂが通信する基地局が無線基地局５１ｂから変更されたか否かを判別する。なお、端末装置１ｂが通信不能になった場合も変更されたと判別する。
【００４０】
端末装置１ｂがゾーンｚｂを出てゾーンｚａ、ｚｃ、ｚｄに移動すると、管理サーバ５０は、端末装置１ｂが移動範囲内にないことを検知し、端末装置１ａと同一グループに所属する端末装置１ａを抽出して、端末装置１ａに音声出力要求信号を送信する。
【００４１】
端末装置１ａではスピーカ５からアラーム音等が発生し、母親は子供がゾーンｚｂから出たことを知ることができる。
【００４２】
このとき、上記実施形態と同様に、端末装置１ｂの位置情報等を送れば、端末装置１ａのＬＣＤパネル４に端末装置１ｂの移動先を表示させることもできる。また、端末装置１ａを呼び出すとともに、ショッピングモール側の担当者に知らせて子供の捜索にあたるようにしても良い。
【００４３】
なお、移動範囲を設定する端末装置１は１台に限らず、２台以上であっても良い。複数台の端末装置１の移動範囲を設定して複数の子供に持たせるようにすれば、母親は複数の子供の移動を規制することができるようになる。この場合は、端末装置１ａに、移動範囲が設定された端末装置１ｂの位置情報及び端末装置名を送信し、ＬＣＤパネル４に表示するようにすれば、どの子供がどのゾーンに移動したかを知ることができる。また、ここでは、移動範囲を１つのゾーンｚｂに限ったが、複数のゾーン（例えばｚａ及びｚｂ）にしても良い。
【００４４】
このシステムによれば、端末装置１ｂの移動範囲を一定の範囲に規制することができる。例えば、子供には玩具売り場、遊技用広場等の子供用のスペースで楽しんでもらい、保護者は別の場所でショッピングを安心して楽しむことができる。端末装置１の配布は、例えば、玩具売り場、遊技用広場等で移動範囲を設定して貸し出すようにする。
【００４５】
図７に示すシステムでは、端末装置１ｂが端末装置１ａから離れて別のゾーン等に移動した場合に、端末装置１ａを呼び出す。
【００４６】
管理サーバ５０には、端末装置１ｂの移動範囲として、端末装置１ａと同一ゾーンを設定する。例えば、端末装置１ａがゾーンｚａにあれば、端末装置１ｂの移動範囲はゾーンｚａであり、端末装置１ａがゾーンｚｂに移動すれば、端末装置１ｂの移動範囲はゾーンｚｂである。管理サーバ５０は、端末装置１ｂが移動範囲内にあるか否かを判別する。具体的には、端末装置１ｂが端末装置１ａと同一の無線基地局５１ａと通信しているか否かによって判別する。なお、端末装置１ｂが通信不能になった場合も、端末装置１ｂが端末装置１ａと同一の無線基地局５１ａと通信していないと判別する。
【００４７】
端末装置１ａがゾーンｚａにある状態で、端末装置１ｂがゾーンｚｂに移動すると、管理サーバ５０は、端末装置１ｂが移動範囲内にないと検知し、端末装置１ａに音声出力要求信号を送信する。
【００４８】
端末装置１ａではスピーカ５からアラーム音等が発生し、母親は子供が同一ゾーンｚａから移動したことを知ることができる。また、上記実施形態と同様に、端末装置１ｂの位置情報等も送れば、端末装置１ａのＬＣＤパネル４に端末装置１ｂの移動先を表示させることもできる。また、端末装置１ａを呼び出すとともに、ショッピングモール側の担当者に知らせて子供の捜索にあたるようにしても良い。
【００４９】
なお、移動範囲を設定する端末装置１は１台に限らず、２台以上であっても良い。複数台の端末装置１の移動範囲を設定して複数の子供に持たせるようにすれば、母親は複数の子供の移動を規制することができるようになる。この場合は、端末装置１ａに、移動範囲が設定された端末装置１ｂの位置情報及び端末装置名を送信し、ＬＣＤパネル４に表示するようにすれば、どの子供がどのゾーンに移動したかを知ることができる。また、ここでは、端末装置１ｂの移動範囲を端末装置１ａと同一ゾーンのみに限ったが、同一ゾーンを含む複数のゾーン（例えばｚａ及びｚｂ）に設定しても良い。
【００５０】
このシステムによれば、端末装置１ｂの移動範囲を端末装置１ａからの相対的な位置によって規制することができる。
【００５１】
（３）第３実施形態
図８は、第３実施形態に係る無線ＬＡＮ通信方法を実現するシステムの概略構成図である。
【００５２】
このシステムでは、管理サーバ５０が外部からの要求に基づいて、端末装置１を呼び出す。例えば、ショッピングモール内にあるレストラン等の店舗が複数の端末装置１を所持し、順番待ちするユーザに端末装置１を貸し出し、店舗からの要求に基づいて端末装置１を呼び出す。
【００５３】
端末装置１の貸し出しは、順番待ちするユーザが複数人から成るグループの場合には、そのグループの代表者に端末装置１を渡しても良いし、あるいは、グループのひとりずつに端末装置１を渡しても良い。
【００５４】
ここでは、ゾーンｚｂにある店舗が順番待ちをするユーザに端末装置１ａを貸与した場合を考える。端末装置１ａを渡されたユーザは、案内の順番が来るまで、店舗で順番待ちをせずに、店舗があるゾーン内及びそのゾーン外であっても無線基地局５１と通信できる範囲を、順番が来るまで自由に移動することができる。
【００５５】
端末装置１ａを渡したユーザの順番が来た場合、店舗は、例えば、管理サーバ５０に接続されたＰＣなどの端末から、管理サーバ５０に端末装置１ａの呼び出しを依頼する。呼び出しの依頼は、店舗が、電話、ＦＡＸ等の通信手段で管理サーバ５０のオペレータに依頼しても良い。
【００５６】
管理サーバ５０は、端末装置１ａの呼び出しの依頼を受けると、無線基地局５１ａを介して端末装置１ａに音声出力要求信号を送信する。音声出力要求信号を受け取った端末装置１ａでは、音源ＬＳＩ１２がアラーム音等を作成し、スピーカ１２に出力する。これにより、端末装置１ａを所持するユーザは、自分の順番が来たことを知り、呼び出しを受けた店舗に戻ることができる。
【００５７】
このシステムによれば、店舗で順番待ちするユーザに端末装置１を渡して、順番が来た場合にスピーカ５からアラーム音等を鳴らすので、ユーザは店舗で順番待ちをする必要がなく、自分の順番が来るまでショッピングモール内で自由に買い物をすることができる。
【００５８】
（４）第４実施形態
本実施形態では、第１乃至第３実施形態のいずれかの無線ＬＡＮシステムにおいて、端末装置１を携帯電話機２０に装着して使用する。
（４−１）携帯電話機
図９は、携帯電話機２０の外形図及び無線ＬＡＮ端末装置１が装着された携帯電話機２０の外形図である。図１０は、携帯電話機２０の機能ブロック図である。
【００５９】
携帯電話機２０は、図９（ａ）に示すように、携帯電話回線との間で電波を送受信するアンテナ２１と、音声を発生させるスピーカ２２、各種の情報を画面表示するために使用されるＬＣＤパネル２３、ユーザが入力操作を行うために使用されるキーボード２４、音声を入力するためのマイク２５を備えている。また、携帯電話機２０は、端末装置１の接続端子１３が直接接続可能な外部接続端子２６を備えている。外部接続端子２６は、外部から電力の供給を受けるとともに、データを送受信するための接続端子である。本実施形態では、図９（ｂ）に示すように、端末装置１の接続端子１３を携帯電話２０の外部接続端子２６に装着して使用する。
【００６０】
図１０に示すように、携帯電話機２０は、電話回線接続用のモデム機能としてのモデム３３、チャンネルコーデック部３２、音声コーデック部３０を有する。モデム３３は、送受信信号の変調復調を行う。チャンネルコーデック部３２は、チャンネル信号の符号化／復号化を行う。音声コーデック部３０は、音声信号の符号化／復号化を行う。
【００６１】
また、携帯電話機２０は、携帯電話回線接続用の信号送受機能として、直交変調器３４、ミキサー３５、オートゲインコントロール部３６、ＳＡＷフィルタ３７、パワーアンプ３８、デュープレクサ３９、アンテナ２１、ローノイズアンプ４０、ＳＡＷフィルタ４１、ミキサー４２、ＳＡＷフィルタ４３、直交復調器４４、周波数シンセサイザ４５及びＳＡＷフィルタ４６を有する。
【００６２】
直交変調器３４は、送信信号を高周波信号に変調する。周波数シンセサイザ４５は、所定の周波数の信号を生成する。ミキサー３５は、周波数シンセサイザ４５の出力信号と直交変調器３４の出力信号とを混合する。オートゲインコントロール部３６は、ミキサー３５の出力信号の自動利得制御を行う。ＳＡＷフィルタ３７は、送信信号の同期補足を行う。パワーアンプ３８は、送信信号の増幅を行う。デュープレクサ３９は、アンテナ２１を介して信号の送受を分離して行う。アンテナ２１は、携帯電話回線の無線電波によって外部と信号の送受を行う。ローノイズアンプ４０は、受信信号を低雑音増幅する。ＳＡＷフィルタ４１は、受信信号の同期補足を行う。ＳＡＷフィルタ４６は、周波数シンセサイザ４５から生成される信号の同期補足を行う。ミキサー４２は、ＳＡＷフィルタ４１及び４６の出力信号を混合する。ＳＡＷフィルタ４３は、ミキサー４２の出力信号の同期補足を行う。直交復調器４４は、高周波の受信信号を復調する。
【００６３】
また、携帯電話機２０は、ユーザとの間で音声の受け渡しを行う機能として、スピーカ２２、マイク２５、ＡＩＵ部（音声インターフェース部）３１を有する。ＡＩＵ部３１は、音声コーデック部３０からの音声信号をスピーカ２２に出力すると共に、マイク２５から入力される音声信号を音声コーデック部３０へ出力する。スピーカ２２は、ＡＩＵ部３１から送られてくる音声信号を音声として外部に出力する。マイク２５は、外部からの音声を取り込み、音声信号に変換してＡＩＵ部３１に送る。
【００６４】
フラッシュメモリ２８は、装置本体に内蔵されるメモリであり、各種のデータ及びプログラムを記憶する。ＳＲＡＭ２９は、ＭＰＵ２７の作業領域を提供するメモリである。ＭＰＵ２７は、携帯電話機２０全体の動作を制御する構成であり、携帯電話回線を介して音声またはデータの送受信を制御するとともに、フラッシュメモリ２８に保存されているプログラムを実行する。また、ＭＰＵ２７は、外部接続端子２６を介して外部に接続された装置と信号を送受信し、受信した信号に基づいてＬＣＤパネル２３に情報を表示する制御を行う表示制御手段としての機能を有する。また、ＭＰＵ２７は、外部接続端子２６から受信した音声信号をスピーカ２２から出力するように制御する音声出力制御手段、ユーザのキーボード２４からの入力を外部接続端子２６から出力するように制御する入力制御手段の機能を備えても良い。
【００６５】
電力供給手段４７は、電話機本体に内蔵されたバッテリ又は電話機本体に着脱自在に装着されたバッテリから各部に電力を供給するとともに、外部接続端子２６を介してバッテリを充電する。また、電力供給手段４７は、外部接続端子２６を介してバッテリを放電しても良い。
（４−２）システム
図１１は、第１実施形態に係るシステムにおいて、端末装置１ａに携帯電話機２０ａを装着した場合の概略構成図である。
【００６６】
このシステムでは、端末装置１ｄの操作ボタン３が押されると、端末装置１ｄから無線基地局５１ｂを介して管理サーバ５０に音声出力要求信号が送信される。管理サーバ５０では、第１実施形態と同様にして、同一グループに所属する他の端末装置１ａ〜１ｃ、端末装置１ｄの位置情報（ゾーンｚｂ）及び端末装置名（端末名１ｄ）を検索する。さらに、管理サーバ５０は、端末装置１ｄの位置情報に基づいて端末装置１ｄの位置を示す地図情報を作成する。管理サーバ５０は、無線基地局５１ａを介して端末装置１ａ〜１ｃに、音声出力要求信号、端末装置名、地図情報を送信する。
【００６７】
端末装置１ａは、音声出力要求信号に基づいてアラーム音等を発生させるとともに、端末名及び地図情報を接続端子１３から携帯電話機２０に送信する。携帯電話機２０では、端末名及び地図情報を受け取ったＭＰＵ２７の表示制御手段が、端末名及び地図情報を図１２に示すようにＬＣＤパネル２３に表示する。これにより、端末装置１ａの所持者は、端末装置１ｄがある場所を地図によって容易に確認することができる。
【００６８】
同様にして、第２実施形態に係る無線ＬＡＮシステムにおいて、端末装置１ａに携帯電話機２０を装着すれば、端末装置１ｂの移動先を携帯電話機２０のＬＣＤパネル２３に表示することができる。
【００６９】
また、第３実施形態に係る無線ＬＡＮシステムにおいて、店舗が貸し出した端末装置１ａに携帯電話機２０を装着すれば、店舗のある場所を携帯電話機２０のＬＣＤパネル２３に表示することができる。
【００７０】
また、端末装置１ａが他の端末装置から呼び出しを受けていない場合には、管理サーバ５０から広告等の情報を端末装置１ａに向けて発信するようにすれば、広告等の情報を携帯電話２０のＬＣＤパネル２３に表示することができる。ＭＰＵ２７に入力制御手段の機能を持たせれば、例えば商品情報等を表示させてキーボード２４によって商品を選択させることができるようになり、無線ＬＡＮ回線を介して商品の販売を行うことができる。また、ＭＰＵ２７に音声出力制御手段の機能を持たせれば、端末装置１のスピーカ５または携帯電話機２０のスピーカ２２からＣＤ等の音楽を出力させて視聴させることもできる。
【００７１】
また、ショッピングモール等の施設のオリジナルゲームを配信しても良い。ユーザは、携帯電話機２０のＬＣＤパネル２３、キーボード２４及びスピーカ２２を利用してゲームを楽しむことができる。
（４−３）作用効果
端末装置１を携帯電話機２０に装着すれば、無線ＬＡＮ回線を通じて端末装置１が受信した情報を携帯電話機２０のＬＣＤパネル２３に表示することができる。
【００７２】
第１又は第２実施形態において、携帯電話機２０のＬＣＤパネル２３に地図を表示させた場合には、ショッピングモール等に設置された地図を見なくても、呼び出した側の端末装置１の位置を示す場所を容易に認識できる。例えば、子供が移動範囲から出てしまった場合には、地図を見て速やかに子供の捜索に向かうことができる。
【００７３】
また、第３実施形態に係る無線ＬＡＮシステムにおいて、携帯電話機２０のＬＣＤパネル２３に地図を表示させた場合には、ユーザは呼び出した店舗の位置を容易に確認することができる。
【００７４】
また、端末装置１の携帯電話機２０への装着は、既存の外部接続端子２６を介して行うので、ＭＰＵ２７において表示制御手段の機能をソフトウェア的に構成すれば、既存の携帯電話機２０をそのまま用いることができる。
【００７５】
（５）第５実施形態
第４実施形態では、携帯電話機２０のＬＣＤパネル２３、キーボード２４及びスピーカ２２を利用したが、端末装置１に装着する装置はこれらに限られず、少なくともＬＣＤパネル等の表示手段をユーザインターフェースとして備える外部接続装置であれば良い。
【００７６】
図１３は、携帯電話型外部接続装置１００である。この携帯電話型外部接続装置１００は、携帯電話の形状をしているが、携帯電話回線に接続する機能等の通常の携帯電話機の機能を有しておらず、ユーザインターフェースとしてのスピーカ１０１、ＬＣＤパネル１０２、キーボード１０３と、外部接続端子１０４と、ＭＰＵ１０５とを備えている。外部接続端子１０４は、端末装置１の接続端子１３に直接装着可能な端子である。
【００７７】
端末装置１を携帯電話型外部接続装置１００に装着して使用すれば、第４実施形態と同様に、無線ＬＡＮ回線を通じて端末装置１が受信する情報をＬＣＤパネル１０２に表示して見ることができ、音声信号をスピーカ１０１から出力させることもできるとともに、キーボード１０３からのユーザの入力を端末装置１から無線ＬＡＮ回線を通じて送信することもできる。なお、音声を出力する必要がない場合や端末装置１のスピーカ５によって音声を出力させる場合には、スピーカ１０１を省略しても良い。また、携帯電話型外部接続装置１００でユーザからの入力を受け付ける必要がない場合には、キーボード１０３を省略しても良い。
【００７８】
図１４は、ゲーム機型外部接続装置２００である。このゲーム機型外部接続装置２００は、ユーザインターフェースとしてのＬＣＤパネル２０１、操作ボタン２０２、２０３、スピーカ２０６と、外部接続端子２０４と、ＭＰＵ２０５とを備えている。外部接続端子２０４は、端末装置１の接続端子１３に直接装着可能な端子である。
【００７９】
このゲーム機型外部接続装置２００も携帯電話型外部接続装置１００と同様に使用することができるとともに、特に、無線ＬＡＮ回線を通じてゲームを受信してプレイする場合には操作が容易になる。
【００８０】
また、端末装置１を市販されている携帯ゲーム端末装置の外部接続端子に接続しても良い。この場合も、携帯ゲーム端末装置のＬＣＤパネル、キーボード、スピーカ等を利用して、第４実施形態と同様の効果を得ることができる。
【００８１】
ここでは、端末装置１に装着する外部接続装置として、携帯電話型及びゲーム機型を説明したが、少なくとも表示手段を備えていればどのような形状でも良い。
【００８２】
（６）第６実施形態
図１５は、第６実施形態に係るサービス提供方法を実現するシステムの概略構成図である。このシステムでは、端末装置１を携帯電話機２０に装着し、端末装置１による無線ＬＡＮ回線との通信と携帯電話機２０による携帯電話回線との通信を切り換えて行う。
【００８３】
無線ＬＡＮシステムは、簡易かつ安価に構成できるため、ショッピングモール等の施設においてユーザにプッシュ型の情報提供をする場合等には、施設側が通信コストを負担し、ユーザには無料で提供することができる。また、無線ＬＡＮシステムは、データの送受信速度が速く、大量のデータ送受信に適している。その反面、接続性、セキュリティ等の信頼性が低く、機密を要するデータの送受信には適していない。一方、携帯電話回線は、システムの構築、運用コストが高く、これに伴い通信料金も高いが、信頼性が高く、機密を要する情報の送受信に適している。そこで、本実施形態では、特性の異なるこれらの回線を切り換えてデータを送受信することによって、両回線の利点を有効に利用する。
【００８４】
図１５では、管理サーバ５０からサービス情報を端末装置１に送信する。サービス情報としては、商品またはサービスの販売に関する情報、商品またはサービスの予約に関する情報、ユーザに対するアンケート等である。
【００８５】
端末装置１では、受信した情報を携帯電話機２０に送信し、携帯電話機２０のＬＣＤパネル２３に表示させる。ユーザは、ＬＣＤパネル２３で表示された情報を見て、商品またはサービスの購入または予約をすることができる。商品またはサービスの選択は、例えばキーボード２５から行い、代金の決済または予約に必要な情報を送信する。このような情報には、通常、個人情報等の機密を要する情報が含まれているため、携帯電話機２０から携帯電話回線を通じて、決済又は予約サーバ５２に接続し、代金の決済または予約に必要な情報を送信する。
【００８６】
代金の決済または予約に必要な情報は、ユーザによってキーボード２５から入力する情報、或いは、端末装置１又は携帯電話機２０に保存されている情報、或いは、両者を組み合わせた情報であっても良い。
【００８７】
このシステムによれば、ショッピングモール等のサービス提供者は、安価な無線ＬＡＮ回線を使用して商品販売等のサービスを提供することができる。ユーザは、無線ＬＡＮシステムを使用することで、通信料金を気にせずに大量のデータを受信することができる。また、個人情報等の機密性の高い情報を送受信する場合には、信頼性の高い携帯電話回線を使用することにより、安全に代金決済等のサービスを受けることができる。また、携帯電話事業者も、携帯電話回線が新たなサービスに利用されることにより、利用料収入を増大させ得る。また、商品の購入履歴を管理サーバ５０に残せば、この購入履歴を利用して商品情報の提供を効果的に実施することができる。
【００８８】
また、無線ＬＡＮ回線を介して商品の情報をユーザにプッシュ型サービスによって提供し、ユーザが気に入れば信頼性の高い携帯電話回線を介して代金の決済をしてもらうことができる。また、商品の購入の際に商品の受け取り時刻やラッピングの有無、種類等を入力してもらうようにすれば、その時刻にユーザが当該商店に立ち寄ったときに、所望のラッピングが施された商品を直ぐに手渡しすることが可能である。
【００８９】
（７）第７実施形態
図１６は、無線ＬＡＮ端末装置１を利用した携帯電話機の着信転送サービスシステムの概略構成図である。
【００９０】
ＬＡＮ管理サーバ５０は、映画館、美術館等の携帯電話機の使用が制約される施設に設置され、無線基地局５１に無線または有線のＬＡＮネットワークによって接続されている。コールエージェント６０は、携帯電話サービスの通信事業者が管理するサーバであり、公衆電話回線（携帯電話回線及び固定電話回線）に接続されている。端末装置１は、施設の管理のもとにあり、施設を訪れたユーザに貸与される。
【００９１】
端末装置１は、図１７に示すように、無線ＬＡＮ端末装置１の接続端子１３に携帯電話機２０の外部接続端子２６が装着されたことを検知する検知手段と、検知手段によって接続端子１３に外部接続端子２６が装着されたことが検知された場合に、携帯電話機２０を制御して着信転送の設定を行う着信転送設定手段と、着信転送設定の後、携帯電話機２０による電波の送受信を停止させる停止手段とを有している。これらの検知手段、着信転送設定手段及び停止手段は、ＭＰＵ１０の機能として実現される。
【００９２】
以下、着信転送サービスシステムの動作について説明する。
【００９３】
ユーザが施設から貸与された端末装置１を自分の携帯電話機２０に装着すると、検知手段が装着を検知し、着信転送の設定を開始する。
【００９４】
端末装置１は、携帯電話機２０の電話番号ＴＥＬ２０を取得し、無線基地局５１を介して管理サーバ５０に送信する。管理サーバ５０では、端末装置１のＩＰアドレスと電話番号ＴＥＬ２０とを対応づけて電話番号リストを作成する。
【００９５】
また、端末装置１は、携帯電話機２０を制御して、携帯電話回線を通じてコールエージェント６０に接続する。そして、端末装置１は、転送元の電話番号ＴＥＬ２０と、転送先の電話番号（管理サーバ５０の電話番号ＴＥＬ５０）とをコールエージェント６０に登録して、電話番号ＴＥＬ２０を着信転送に設定する。
【００９６】
端末装置１は、電話番号ＴＥＬ２０を着信転送に設定すると、携帯電話機２０による電波の送受信を停止させる。
【００９７】
携帯電話機２０が着信転送サービスに設定された状態で、他の電話機７０（電話番号ＴＥＬ７０）から電話番号ＴＥＬ１に着信があると、コールエージェント６０は、電話番号ＴＥＬ１宛の着信を電話番号ＴＥＬ５０に転送する。具体的には、コールエージェント６０は、公衆電話回線を介して、着信時刻と、発信元電話番号ＴＥＬ７０と、転送元電話番号ＴＥＬ２０とを管理サーバ５０に転送する。
【００９８】
管理サーバ５０は、着信転送を受信すると、電話番号リストから転送元電話番号ＴＥＬ２０に装着された端末装置１のＩＰアドレスを検索する。そして、管理サーバ５０は、着信時刻、発信元電話番号ＴＥＬ７０、転送元電話番号ＴＥＬ２０を含むメールを作成し、無線基地局５１を介して端末装置１に送信する。
【００９９】
端末装置１は、受信したメールを携帯電話機２０のＬＣＤパネル２３に表示する。
【０１００】
以上のようにして、ユーザは、電話番号ＴＥＬ７０から携帯電話機２０（電話番号ＴＥＬ２０）に着信があったこと及びその着信時刻を知ることができる。
【０１０１】
また、管理サーバ５０は、各種サービス情報、例えば、映画館の場合には映画の予告や各種割引サービスの情報等、美術館の場合には各種イベントの情報等を、無線ＬＡＮ回線を通じて端末装置１に送信する。端末装置１は、受信した各種サービス情報を携帯電話機２０のＬＣＤパネル２３及びスピーカ２２から出力する。携帯電話機２０の電波の送受信を停止した状態であっても、端末装置１を通じて管理サーバ５０から情報を受信することはできるので、ユーザは、端末装置１を介して携帯電話機２０のＬＣＤパネル２３及びスピーカ２２からプッシュ型の情報サービスを受けることができる。また、携帯電話機２０及び端末装置１から発生する音声を制限したい場合には、管理サーバ５０から送信する情報に音声信号を含めないようにすれば良い。
【０１０２】
なお、携帯電話の使用を制限される施設がショッピングモール等の大型施設内に入っている場合には、管理サーバ５０はショッピングモール全体のＬＡＮシステムを管理するサーバであっても良い。
【０１０３】
この着信転送サービスシステムでは、端末装置１を携帯電話機２０に装着すれば、端末装置１は、携帯電話機２０を自動的に着信転送サービスに設定し、携帯電話機２０の電波の送受信を停止させるので、携帯電話機２０の使用が制限されている場所において、携帯電話機２０の電源を手動で切断又は手動でマナーモードに設定する必要がない。また、携帯電話機２０宛に着信があった場合には、コールエージェント６０から着信転送を受けた管理サーバ５０が端末装置１にメールを送信し、メールが携帯電話機２０に表示されるので、携帯電話機２０の電波の送受信が停止されている状態であっても、無線ＬＡＮ回線を通じて携帯電話２０への着信を知ることができる。
【０１０４】
（８）第８実施形態
図１８は、第８実施形態に係る無線ＬＡＮ端末装置１の機能ブロック図であり、図１９は、第８実施形態に係る携帯電話機２０の機能ブロック図である。
【０１０５】
企業等において構内電話を有線から無線ＩＰ電話に切り換える場合には、以下のような問題があり、本実施形態はこれを解消するためのものである。無線ＩＰ電話システムを構築する場合、既存の携帯電話機をそのまま無線ＩＰ電話機として使用することができないため、多数のＩＰ電話機を購入する必要があり、多大なコストを要する。また、ユーザは、携帯電話機とは別に無線ＩＰ電話機を持たなければならないため、複数の電話機を所持する必要がある。一方、携帯電話機に無線ＩＰ電話機の機能を内蔵することも可能であるが、消費電流の問題から携帯電話機のバッテリが長持ちせず、バッテリを長持ちさせようとすると、バッテリが大型化する虞がある。また、携帯電話機に無線ＩＰ電話機の機能を内蔵した場合には、携帯電話通信と無線ＬＡＮ通信に使用する電波の干渉を抑制するために各部をシールドする必要があり、携帯電話機のコストが増加するという問題があった。そこで、本実施形態では、端末装置１にＶｏＩＰ  ＬＳＩ１４を設け、端末装置１を携帯電話機２０に接続することによって無線ＬＡＮ回線を利用してＩＰ電話通信を行えるようにした。
【０１０６】
図１８に示すように、端末装置１はＶｏＩＰ  ＬＳＩ１４を備えており、ＶｏＩＰＬＳＩ１４は、ＭＰＵ１０の制御のもとに、接続端子１３を介して音声信号の送受信を行う。ＶｏＩＰ  ＬＳＩ１４は、ネットワーク制御部１４ａとデジタル信号処理部１４ｂとを備えている。ネットワーク制御部１４ａは、パケット化及びパケットの解除を行う。デジタル信号処理部１４ｂは、デジタル音声信号にコーデック（符号化、復号化）処理を含む所定の処理を施す。また、端末装置１は、接続端子１３が携帯電話機２０の外部接続端子２６に装着されたことを検知する検知手段と、検知手段によって接続が検知された場合に、携帯電話機２０による電波の送受信を停止させる停止手段とを備えている。これらの検知手段及び停止手段は、ＭＰＵ１０の機能として実現できる。
【０１０７】
図１９に示すように、携帯電話機２０は、外部接続端子２６からＭＰＵ２７が受信したデジタル音声信号をＡＩＵ部３１に出力し、スピーカ２２から出力する。また、マイク２５から入力された音声信号を、ＡＩＵ部３１を介してＭＰＵ２７に送り、ＭＰＵ２７がその音声信号を、外部接続端子２６を介して端末装置１に出力する。
【０１０８】
このような端末装置１及び携帯電話機２０では、端末装置１を携帯電話機２０に装着した場合に、携帯電話機２０の電波の送受信を停止させ、端末装置１によって無線ＬＡＮ回線を通じて音声パケットを送受信し、携帯電話機１のマイク２５及びスピーカ２２をユーザインターフェースとして使用することにより、ＩＰ電話通話機を構成する。一方、携帯電話回線を使用する場合には、端末装置１を携帯電話機２０から取り外す。また、ここでは、携帯電話機２０のスピーカ２２及びマイク２５をユーザインターフェースとして使用するため、端末装置１の音源ＬＳＩ１２及びスピーカ５を省略しても良い。
【０１０９】
図２０は、端末装置１及び携帯電話機２０によって構成されたＩＰ電話システムの概略構成図である。このＩＰ電話システムは、管理サーバ５０と、ＬＡＮスイッチ５３と、管理サーバ５０に接続された複数の無線基地局５１ａ〜５１ｂと、携帯電話機２０ａが接続された端末装置１ａ、携帯電話機２０ｂが接続された端末装置１ｂとを備えている。管理サーバ５０は無線ＬＡＮスイッチ５３を制御する。ＬＡＮスイッチ５３は、端末装置１ａと端末装置１ｂとの間でＩＰ電話回線の交換を行う。図中、ゾーンｚａ〜ｚｂは、それぞれ無線基地局５１ａ〜５１ｂの通信範囲である。
【０１１０】
このＩＰ電話システムでは、携帯電話機２０ａのマイク２５から入力された音声が端末装置１ａのＶｏＩＰ  ＬＳＩ１４でパケット化されて、無線基地局５１ａ、ＬＡＮスイッチ５３、無線基地局５１ｂを介して、端末装置１ｂに送られる。端末装置１ｂでは、ＶｏＩＰ  ＬＳＩ１４によってＩＰパケットを外し、音声信号を携帯電話２０ｂのスピーカ２２から出力する。一方、携帯電話機２０ｂのマイク２５から入力された音声が端末装置１ｂのＶｏＩＰ  ＬＳＩ１４でパケット化されて、無線基地局５１ｂ、ＬＡＮスイッチ５３、無線基地局５１ｂを介して、端末装置１ａに送られる。端末装置１ａでは、ＶｏＩＰ  ＬＳＩ１４によってパケットを外し、音声信号を携帯電話２０ａのスピーカ２２から出力する。このようにして、携帯電話機２０ａのマイク２５から入力した音声が携帯電話機２０ｂのスピーカ２２から出力されるとともに、携帯電話機２０ｂのマイク２５から入力された音声が携帯電話機２０ａのスピーカ２２から出力されることにより、携帯電話機２０ａ及び２０ｂを使用してＩＰ電話通話を行うことができる。
【０１１１】
本実施形態によれば、既存の携帯電話機２０に端末装置１を接続することにより、別途無線ＩＰ電話機を多数用意する必要がなく、かつ、既存のＬＡＮシステムに無線ＬＡＮ用の無線基地局を接続するだけでＩＰ電話システムを容易かつ低コストに実現することができる。また、ユーザは、携帯電話機２０とは別にＩＰ電話機を所持する必要がなく、例えば、構内に居る場合には、携帯電話２０に端末装置１を装着して無線ＬＡＮ回線を介してＩＰ電話通信を行い、構内から出た場合または構内に居ても携帯電話機２０によって外部に連絡を取りたい場合には、携帯電話機２０から端末装置１を取り外し、携帯電話回線を利用して通信を行うことができる。また、端末装置１に電力供給手段１１を搭載しているので、携帯電話機２０のバッテリの負担が増大せず、バッテリの使用可能時間が短くならない。このため、携帯電話機２０のバッテリを大型化する必要がなくなる。さらに、携帯電話機２０に端末装置１を装着した場合には携帯電話機２０の電波の送受信を停止させ、携帯電話回線を使用する場合には携帯電話機２０から端末装置１を取り外すようにしたため、携帯電話回線と無線ＬＡＮ回線の電波が干渉することを防止でき、携帯電話機２０に無線ＬＡＮ機能を内蔵する場合のようなシールドが必要なく、携帯電話機２０の大型化及びコストアップの虞がない。
【０１１２】
なお、上記では、端末装置１及び携帯電話機２０を構内ＩＰ電話システムに使用したが、ＰＨＳ回線、携帯電話回線、固定電話回線を使用したＩＰ電話網や、これらの回線とインターネット回線を組み合わせたネットワークに使用しても良い。
〔コーデック〕
図２１及び図２２は、携帯電話機２０の音声コーデック３０を利用してＩＰ電話の音声信号を処理する説明図である。
【０１１３】
図２１は、通信相手がコーデックＡで符号化された音声信号のみを送受信する場合に、携帯電話機２０の音声コーデック３０もコーデックＡである場合である。この場合には、端末装置１のＶｏＩＰ  ＬＳＩ１４のデジタル信号処理部１４ｂではデジタル音声信号のコーデック処理を行わず、携帯電話機２０の音声コーデック３０がコーデック処理を行う。この場合、デジタル信号処理部１４ｂのコーデックの機能を省略できる。
【０１１４】
図２２は、通信相手がコーデックＢで符号化された音声信号のみを送受信するが、携帯電話機２０の音声コーデック３０がコーデックＡである場合である。この場合、ＶｏＩＰ  ＬＳＩ１４のデジタル信号処理部１４ｂには、コーデックＡ及びＢの機能が必要である。端末装置１ａでは、コーデックＢの音声信号を受信すると、ＶｏＩＰ  ＬＳＩ１４（デジタル信号処理部１４ｂ）において、コーデックＢによって解除した後、コーデックＡで符号化し、携帯電話機２０に渡す。携帯電話機２０では、音声コーデック３０によってコーデックＡで復号化し、スピーカ２２に出力する。逆に、携帯電話機２０のマイク２５から入力された音声信号は、音声コーデック３０によってコーデックＡで符号化され、端末装置１に渡される。端末装置１では、コーデックＡで符号化された音声信号をコーデックＡで復号化した後、コーデックＢで符号化して送信する。このようにすれば、通信相手がコーデックＢで符号化された音声信号しか送受信できない場合であっても、通話を行うことができる。
【図面の簡単な説明】
【０１１５】
【図１】無線ＬＡＮ端末装置の外形図。
【図２】無線ＬＡＮ端末装置の機能ブロック図。
【図３】無線ＬＡＮ端末装置間で呼び出しを行う無線ＬＡＮ通信方法を実現するシステムの概略構成図。
【図４】ＬＡＮ管理サーバに登録されるデータの構成例。
【図５】無線ＬＡＮ端末装置の画面表示例。
【図６】無線ＬＡＮ端末装置の移動範囲を規制する無線ＬＡＮ通信方法を実現するシステムの概略構成図（その１）。
【図７】無線ＬＡＮ端末装置の移動範囲を規制する無線ＬＡＮ通信方法を実現するシステムの概略構成図（その２）。
【図８】ＬＡＮ管理サーバから無線ＬＡＮ端末装置を呼び出す無線ＬＡＮ通信方法を実現するシステムの概略構成図。
【図９】携帯電話機２０の外形図及び無線ＬＡＮ端末装置１が装着された携帯電話機２０の外形図。
【図１０】携帯電話機の機能ブロック図。
【図１１】携帯電話機が装着された無線ＬＡＮ端末装置を利用したシステムの概略構成図。
【図１２】携帯電話機の画面表示例。
【図１３】携帯電話型の外部接続装置。
【図１４】携帯ゲーム端末装置型の外部接続装置。
【図１５】無線ＬＡＮ端末装置を用いたサービス提供方法を実現するシステムの概略構成図。
【図１６】無線ＬＡＮ端末装置を用いた携帯電話機の着信転送サービスシステムの概略構成図。
【図１７】着信転送サービスを実行する無線ＬＡＮ端末装置の機能ブロック図。
【図１８】ＶｏＩＰ機能を有する無線ＬＡＮ端末装置の機能ブロック図。
【図１９】ＶｏＩＰ機能を有する無線ＬＡＮ端末装置が装着される携帯電話機の機能ブロック図。
【図２０】ＶｏＩＰ機能を有する無線ＬＡＮ端末装置及び携帯電話機によるＩＰ電話システム。
【図２１】ＶｏＩＰ機能を有する無線ＬＡＮ端末装置及び携帯電話機によるコーデック処理を説明する説明図（その１）。
【図２２】ＶｏＩＰ機能を有する無線ＬＡＮ端末装置及び携帯電話機によるコーデック処理を説明する説明図（その２）。
【符号の説明】
【０１１６】
１  無線ＬＡＮ端末装置
２  装置本体
３  操作ボタン
４  ＬＣＤパネル
５  スピーカ
１３  外部接続端子
１４  ＶｏＩＰ  ＬＳＩ
２０  携帯電話機
２１  アンテナ
２２  スピーカ
２３  ＬＣＤパネル
２４  キーボード
２５  マイク
２６  外部接続端子
５０  管理サーバ
５１  無線基地局
５２  決済または予約サーバ
５３  ＬＡＮスイッチ
６０  コールエージェント
７０  他の電話機
１００  携帯電話機型の外部接続装置
１０１  スピーカ
１０２  ＬＣＤパネル
１０３  キーボード
１０４  外部接続端子
２００  携帯ゲーム端末装置型の外部接続装置
２０１  ＬＣＤパネル
２０２、２０３  操作ボタン
２０４  外部接続端子
【図１】
2005094318.tif 000003
【図２】
2005094318.tif 000004
【図３】
2005094318.tif 000005
【図４】
2005094318.tif 000006
【図５】
2005094318.tif 000007
【図６】
2005094318.tif 000008
【図７】
2005094318.tif 000009
【図８】
2005094318.tif 000010
【図９】
2005094318.tif 000011
【図１０】
2005094318.tif 000012
【図１１】
2005094318.tif 000013
【図１２】
2005094318.tif 000014
【図１３】
2005094318.tif 000015
【図１４】
2005094318.tif 000016
【図１５】
2005094318.tif 000017
【図１６】
2005094318.tif 000018
【図１７】
2005094318.tif 000019
【図１８】
2005094318.tif 000020
【図１９】
2005094318.tif 000021
【図２０】
2005094318.tif 000022
【図２１】
2005094318.tif 000023
【図２２】
2005094318.tif 000024